(57)【要約】【課題】移動または複製あるいは同時視聴が可能に転送することが許可されているコンテンツを携帯端末装置による視聴のために供給する場合に、視聴しようとする番組がどこに記録されているか、を容易に特定可能な電子機器及びコンテンツ記録方法を提供する。【解決手段】実施形態の電子機器は、記録部と、送信要求処理部と、送信用コンテンツ保持部と、リスト保持部と、を具備する。記録部は、コンテンツを保持する。送信要求処理部は、コンテンツの送信要求を受けつける。送信用コンテンツ保持部は、前記送信要求処理部が受けつける送信要求に応じ、送信要求を送信する装置への送信が許可され、かつ送信要求を送信する装置による再生が可能なコンテンツを保持する。リスト保持部は、前記送信用コンテンツ保持部が保持する送信用コンテンツを収容した収容部及びその収容部が保持するコンテンツのリストを、送信要求を送信する装置が参照可能に保持する。【選択図】図１Ａ
2013115492.tif 000002
【特許請求の範囲】
【請求項１】
コンテンツを保持する記録部と、
コンテンツの送信要求を受けつける送信要求処理部と、
前記送信要求処理部が受けつける送信要求に応じ、送信要求を送信する装置への送信が許可され、かつ送信要求を送信する装置による再生が可能なコンテンツを保持する送信用コンテンツ保持部と、
前記送信用コンテンツ保持部が保持する送信用コンテンツを収容した収容部及びその収容部が保持するコンテンツのリストを、送信要求を送信する装置が参照可能に保持するリスト保持部と、
を具備する電子機器。
【請求項２】
前記リスト保持部は、送信要求を送信する装置からの送信要求を前記送信要求処理部が受けつけたことを、送信要求を送信する装置に通知することで、送信要求を送信する装置から直接参照可能である請求項１記載の電子機器。
【請求項３】
前記リスト保持部が保持するリストは、前記送信用コンテンツ保持部が保持する送信用コンテンツを収容した収容部への送信要求を送信する装置による直接的なアクセスを許可する請求項２記載の電子機器。
【請求項４】
前記送信用コンテンツ保持部が保持するコンテンツは、記録時に送信要求を送信する装置による再生が可能な記録方法に基づいて記録される請求項１ないし３のいずれかに記載の電子機器。
【請求項５】
前記送信用コンテンツ保持部が保持するコンテンツは、送信要求を送信する装置への送信に先立って、送信要求を送信する装置による再生が可能な記録方法に基づいて記録される請求項１ないし３のいずれかに記載の電子機器。
【請求項６】
コンテンツを保持する記録部に、コンテンツの送信を要求する端末装置による再生が可能に、所定の記録方式でコンテンツを記録し、
記録したコンテンツを、端末装置による参照が可能なリストと関連づけ、
端末装置によるコンテンツの送信要求に対し、リスト及び記録部への直接的なアクセスが可能に、リストを送信可能に保持するコンテンツ記録方法。
【請求項７】
端末装置による参照が可能なリストは、フォルダ形式により、端末装置によるコンテンツの送信要求に対し、通知可能である請求項６記載のコンテンツ記録方法。
【請求項８】
端末装置による参照が可能なリストは、記録部への直接的なアクセスを可能とするパス名を含む請求項６または７記載のコンテンツ記録方法。
【請求項９】
ネットワーク上に位置するコンテンツを保持したコンテンツ蓄積装置を検索し、
コンテンツ蓄積装置が保持するコンテンツが再生可能なコンテンツであること、及びコンテンツが蓄積されている領域の情報を取得し、
コンテンツ取得要求により、コンテンツ蓄積装置のコンテンツが蓄積されている領域から供給されるコンテンツを取得する電子機器。
【発明の詳細な説明】
【技術分野】
【０００１】
この発明は、動画や静止画等の映像や音声（オーディオ）からなるコンテンツを記録する電子機器及びコンテンツ記録方法に関する。
【背景技術】
【０００２】
動画や静止画等の映像や音声（オーディオ）であるコンテンツ（番組あるいはタイトルと称する場合もある）を視聴する方法として、家庭で録画した番組あるいは現在受信中の番組を携帯端末装置で視聴したいと、いう要求がある。このため、携帯端末装置へ番組（コンテンツ）を、移動または複製あるいは（同時視聴が可能に）転送する方法が、既に実現されている。
【先行技術文献】
【特許文献】
【０００３】
【特許文献１】特開２００９−１２２９１１号公報
【発明の概要】
【発明が解決しようとする課題】
【０００４】
反面、携帯端末装置へのコンテンツ（番組）の移動または複製あるいは転送のために用意された番組を携帯端末装置において取得する場合、携帯端末装置から、携帯端末装置で視聴しようとするコンテンツを検索することは、多くの手順に従うことが求められる。特に、コンテンツを保持した記録装置が複数用意されている場合は、視聴しようとする番組がどこに記録されているか、を特定するために、多くの時間と複雑な手順を必要とする。
【０００５】
この発明の目的は、携帯端末装置への移動または複製あるいは同時視聴が可能に転送することが許可されているコンテンツを携帯端末装置による視聴のために供給する場合に、視聴しようとする番組がどこに記録されているか、を容易に特定可能な電子機器及びコンテンツ記録方法を提供することである。
【課題を解決するための手段】
【０００６】
実施形態によれば、電子機器は、記録部と、送信要求処理部と、送信用コンテンツ保持部と、リスト保持部と、を具備する。記録部は、コンテンツを保持する。送信要求処理部は、コンテンツの送信要求を受けつける。送信用コンテンツ保持部は、前記送信要求処理部が受けつける送信要求に応じ、送信要求を送信する装置への送信が許可され、かつ送信要求を送信する装置による再生が可能なコンテンツを保持する。リスト保持部は、前記送信用コンテンツ保持部が保持する送信用コンテンツを収容した収容部及びその収容部が保持するコンテンツのリストを、送信要求を送信する装置が参照可能に保持する。
【図面の簡単な説明】
【０００７】
【図１Ａ】実施形態を適用する記録再生装置（電子機器）を含むネットワークの接続の一例を示す。
【図１Ｂ】実施形態を適用する記録再生装置（電子機器）を含むネットワークの接続の一例を示す。
【図２】実施形態における蓄積装置と携帯端末装置との間のデータ（制御信号）の受け渡しの一例を示す。
【図３】実施形態において作成／保持する［コンテンツ／フォルダリスト］の一例を示す。
【図４】実施形態における蓄積装置（記録再生装置）の一例を示す。
【図５】実施形態における蓄積装置（テレビ受信装置）の一例を示す。
【図６Ａ】実施形態を適用する蓄積装置により表示可能な［番組表］表示の一例を示す。
【図６Ｂ】実施形態を適用する蓄積装置により表示可能な［録画予約一覧］表示の一例を示す。
【図７】実施形態を適用する蓄積装置により表示可能な［入力画面（設定変更画面）］表示の一例を示す。
【図８】実施形態を適用する蓄積装置により表示可能な［予約オプション設定画面］表示の一例を示す。
【図９】実施形態を適用する蓄積装置により表示可能な［持出用録画品質選択画面］表示の一例を示す。
【図１０】実施形態を適用する蓄積装置により表示可能な『図８における［予約オプション設定画面］表示の［持出用録画］表示が「する」に変更された［録画予約画面］表示』の一例を示す。
【図１１】実施形態を適用する蓄積装置により表示可能な『図８における［予約オプション設定画面］表示の［持出用録画＋通常録画］表示が「する」に変更された［録画予約画面］表示』の一例を示す。
【図１２】実施形態を適用する蓄積装置により表示可能な［持出用録画］が設定された［録画予約一覧］表示の一例を示す。
【図１３】実施形態を適用する蓄積装置により表示可能な『図８に示した［予約オプション設定画面］』表示の一例を示す。
【図１４】実施形態を適用する蓄積装置により表示可能な『「持出用録画」が許可されていないコンテンツへの「持出用録画」が設定されようとした場合、所定のアラート（警告）メッセージ』表示の一例を示す。
【図１５】実施形態を適用する蓄積装置により表示可能な『蓄積機器側において設定されている録画品質表示中の「持出用録画」の［録画品質］』表示の一例を示す。
【図１６】実施形態を適用する蓄積装置により表示可能な［編集ナビ画面］表示の一例を示す。
【図１７】実施形態を適用する蓄積装置により表示可能な［ダビングモード選択画面］表示の一例を示す。
【図１８】実施形態を適用する蓄積装置により表示可能な［ダビング画面］表示の一例を示す。
【図１９】実施形態を適用する蓄積装置により表示可能な［持出用録画品質選択画面］表示の一例を示す。
【図２０】実施形態を適用する蓄積装置により表示可能な［ダビング中画面］表示の一例を示す。
【図２１】実施形態を適用する蓄積装置により表示可能な［見るナビ画面］表示の一例を示す。
【図２２】実施形態を適用する蓄積装置により表示可能な［ダビング先選択］表示の一例を示す。
【図２３】実施形態を適用する蓄積装置により表示可能な［ダビングモード選択］表示の一例を示す。
【図２４】実施形態を適用する蓄積装置により表示可能な『転送先（携帯端末装置）の記録容量が不足する場合に表示される「アラート」』表示の一例を示す。
【発明を実施するための形態】
【０００８】
以下、図面を参照して、本発明の実施の一形態について説明する。
【０００９】
図１Ａ及び図１Ｂは、実施形態を適用する記録再生装置を含むネットワークの接続の一例を示す。なお、ネットワークは、無線式（wireless，ワイヤレスと称される）であってもよいし、接続の一部が無線式であってもよい。また、以下に説明する様々な要素（構成）は、ハードウエアで実現するものであってもよいし、ＣＰＵ（マイクロコンピュータ）等を用いて、ソフトウエアで実現するものであってもよい。
【００１０】
図１Ａにおいて、記録再生装置（レコーダ装置[１]１００は、家庭内ＬＡＮ（Local Area Network）を構成するルータ（ネットワーク管理装置）１と接続する。ルータ１は、家庭内ＬＡＮをワイヤレス（無線式）システムとするため、無線ＬＡＮユニット（ネットワーク装置）２と接続する。従って、無線ＬＡＮユニット２と携帯端末装置（例えばスマートフォンあるいはスレート端末装置）３と、主として家庭内において、無線通信により、データ（コンテンツ）の受け渡しが可能である。なお、無線通信としては、今日、高速化（通信容量の増加）がめざましい、近距離無線通信規格、例えばブルートゥース（登録商標）／Bluetooth（登録商標）や、ＰＬＣ（Power Line Communication）と赤外線通信を用いるＸ１０等を用いることも可能である。また、ルータ１は、サーバとしての機能をもつものであってもよい。
【００１１】
記録再生装置（レコーダ装置[１]）１００は、ルータ１を通じて、例えばテレビ受信装置２００、及び第２の記録再生装置（レコーダ装置[２]）３００と接続する。また、テレビ受信装置２００及びレコーダ装置[２]（第２の記録再生装置）３００は、それぞれ外部接続のＨＤＤ２００ａ及びＨＤＤ３００ａと接続する。なお、ルータ１に、外部接続のＨＤＤ４００が、さらに接続されてもよい。
【００１２】
無線ＬＡＮユニット２は、図１Ｂに一例を示すが、ルータ１と一体に形成されてもよい。また、図１Ｂに示すように、レコーダ装置[１]１００とテレビ受信装置２００、テレビ受信装置２００とレコーダ装置[２]３００が、それぞれＨＤＭＩ（High-definition Digital Media Interface）により接続され、ルータ２がテレビ受信装置２００と接続する場合も本提案と同様に機能する。
【００１３】
図１Ａまたは図１Ｂに示すネットワークシステムにおいては、携帯端末装置３から、動画や静止画等の映像や音声（オーディオ）であるコンテンツ（番組あるいはタイトルと称する場合もある）を視聴する方法として、家庭で録画した番組あるいは現在受信中の番組を携帯端末装置で視聴したいと、いう要求がある。すなわち、携帯端末装置へコンテンツ（番組）を移動または複製あるいは（同時視聴が可能に）転送する場合、視聴しようとする番組がどこに記録されているか、を特定するために、多くの時間と複雑な手順が求められる場合がある。
【００１４】
携帯端末装置３から、視聴しようとするコンテンツがどこに記録されているかを特定するためには、例えば、    
ａ）携帯端末装置側のコンテンツ配信／持ち出しアプリ（アプリケーション）を起動し、    
ｂ）配信／持ち出し元になる（蓄積装置、すなわちレコーダ装置[１]１００／テレビ受信装置２００（外部接続ＨＤＤ２００ａを含む）／レコーダ装置[２]３００（外部接続ＨＤＤ３００ａを含む）／外部接続ＨＤＤ４００のいずれかの）ネットワーク上の機器を検索し、    
ｃ）ネットワーク上の複数の機器から返却される（携帯端末装置への）それぞれの機器能力情報を取得し、
ｄ）アプリケーションにより表示される複数の機器の中から「配信／持ち出し能力（コンテンツを保持している機器からの移動／複製／転送）が許可されているコンテンツ（［持ち出し要求に対応する出力が可能］なコンテンツ）」を保持した機器だけを抽出して画面上に表示し、    
ｅ）配信／持ち出し対象のコンテンツが格納されている機器の（ユーザーによる）選択を受けつけ、  
ｆ）選択した機器（「配信／持ち出し能力のある機器」）に対して、最も上位の階層「root」フォルダを指定して、コンテンツリスト取得要求を出力（送信）し、
ｇ）選択した機器から、最も上位の階層フォルダである「root」より下層にあるコンテンツ／フォルダリストを受け取り、
ｈ）画面上に、コンテンツとフォルダの一覧を表示する。このとき、対象のコンテンツが格納されているフォルダのパスが、例えば「root/Video/HDD/Mobile/」である場合、（ユーザーは）    
ｉ）選択した機器から返却されたフォルダリスト内にある、例えば「Video」フォルダを指定してコンテンツリスト取得要求を出力（送信）し、    
ｊ）さらに、上述の要求（「HDD」フォルダを指定するコンテンツリスト取得要求及び「Mobile」フォルダを指定するコンテンツリスト取得要求）を繰り返し、「root/Video/HDD/Mobile/」のコンテンツリストを取得し、
ｋ）対象のコンテンツを選択できる。
【００１５】
なお、選択されたコンテンツは、アプリケーションの動作に従うアプリケーション（携帯端末装置３）から蓄積機器（配信／持ち出し元）への［配信／持ち出し要求］に従い、所定の条件で、携帯端末装置３に、移動または複製または（同時視聴のために）配信される。
【００１６】
すなわち、携帯端末装置３において［配信／持ち出し要求］により要求したコンテンツが携帯端末装置３において視聴可能となる。なお、配信の場合にはその場でコンテンツを再生し、持ち出し（移動）の場合は、携帯端末装置３内の記録領域に記録する。
【００１７】
しかしながら、上述した手順は、目的のコンテンツを選択するまでに複数回のコンテンツリスト取得要求が必要であり、ユーザーの手間が増える上に蓄積装置に一定の負荷をかけることになる。
【００１８】
図２に、最初のネットワーク上の機器を検索したときに取得する機器能力情報から、コンテンツの種類に応じたフォルダパスを取得する（蓄積装置から返却する）ことにより、携帯端末装置側で、目的のコンテンツが格納されているフォルダを識別し、コンテンツリスト要求を１度送信（出力）するだけでアクセスすることを可能とする、実施形態の一例を示す。
【００１９】
なお、図２において説明する機器能力情報は、ＤＬＮＡ（Digital Living Network Alliance（登録商標））に対応する機器において、［device description］として記述されるが、その［description］に、拡張情報として実施形態が示す（本提案の）フォルダパス情報を記述する形で実現してもよい。
【００２０】
すなわち、コンテンツ蓄積装置（１００、２００、３００または４００）あるいはルータ１が個々のコンテンツ蓄積装置が保持するコンテンツリストを集約した集約コンテンツリストを作成できる場合はその集約コンテンツリスト（ルータ１）と携帯端末装置との間において、コンテンツ配信／持ち出しアプリケーションが起動した携帯端末装置３により、ネットワーク上の機器すなわちコンテンツ蓄積装置（またはルータ１が保持する集約コンテンツリスト）が検索される［１０１］。
【００２１】
携帯端末装置３からの検索に応じ、個々のコンテンツ蓄積装置（（ルータ１が保持する）集約コンテンツリスト）がルータ１）から「機器能力＋フォルダＩＤ情報」が返信される［１０２］。なお、「機器能力＋フォルダＩＤ情報」は、蓄積装置（ルータ１と接続する機器）が、コンテンツの配信／持ち出し能力［持ち出し要求に対応する出力が可能］があること、及び（その場合に）携帯端末装置への配信／持ち出し用のコンテンツが格納されたフォルダＩＤを含む。
【００２２】
「機器能力＋フォルダＩＤ情報」を受け取った携帯端末装置３は、コンテンツリスト取得要求を、対象のコンテンツを保持した機器（蓄積機器）に送信する［１０３］。すなわち、個々のコンテンツ蓄積装置から返信された「機器能力＋フォルダＩＤ情報」は、「携帯端末装置が直接取得できるコンテンツが格納されたフォルダＩＤ（［コンテンツ／フォルダリスト］）」を含む配信／持ち出し可能なコンテンツを保持する機器のみを表示するものであるから、ユーザーは、その中から所望のコンテンツを保持した機器を選択し、蓄積装置（集約コンテンツリストを保持するルータ１）に送信要求（［コンテンツ／フォルダリスト取得要求］を送信）すればよい。なお、「機器能力＋フォルダＩＤ情報」すなわち「携帯端末装置が直接取得できるコンテンツが格納されたフォルダＩＤ（［コンテンツ／フォルダリスト］）」は、例えば「root/Video/HDD/Mobile/」であり、上述した現行の検索において、複数回の［コンテンツリスト取得要求］を必要とするが、実施形態においては、後段で説明するが、予め、「機器能力＋フォルダＩＤ情報（［コンテンツ／フォルダリスト］）」として、個々の機器において用意される。
【００２３】
［コンテンツ／フォルダリスト要求］を受けつけた蓄積装置（集約コンテンツリストを保持するルータ１）は、携帯端末装置にコンテンツ／フォルダリストを返却［通知］する［１０４］。
【００２４】
コンテンツ／フォルダリストを受け取った携帯端末装置は、［コンテンツ配信／持ち出し開始（出力）要求］を、蓄積装置（またはルータ１）に送信する［１０５］。
【００２５】
携帯端末装置から［コンテンツ配信／持ち出し開始（出力）要求］を受け取った蓄積装置（またはルータ１を通じて特定された蓄積装置）は、所定の認証等を終了し、転送（配信／持ち出し）要求に対応する出力の準備の後、携帯端末装置に、コンテンツの送信準備が完了したことを通知（応答）し［１０６］、携帯端末装置からの［送信開始要求］に［１０７］従い、転送（配信／持ち出し）要求に対応するコンテンツを出力（コピー／移動）する［１０８］。このとき、携帯端末装置の要求が［転送（配信）］である場合は、携帯端末装置によるコンテンツの同時視聴が可能となり、［持ち出し］である場合は、携帯端末装置の所定の記録領域に、コンテンツが記録される。
【００２６】
以下、全てのコンテンツを受け取った携帯端末装置から蓄積装置に、コンテンツの配信／持ち出し、が完了したことを蓄積装置に通知する「コンテンツ配信／持ち出し完了応答」が返信（応答）される［１０９］。
【００２７】
このように、図２で説明した［コンテンツ／フォルダリスト］を作成し、携帯端末装置からの送信要求（［コンテンツ配信／持ち出し開始（出力）要求］）に対して、「機器能力＋フォルダＩＤ情報」として応答（返却）することで、上述したｆ）からｊ）の工程を、１回の操作により実現できる。
【００２８】
なお、上述した［コンテンツ／フォルダリスト］は、ユーザーの要求（設定）に従い、図３に一例を示すが、例えば配信（持ち出し）用である「/root/Video/HDD/Mobile/」や、転送用である「/root/Live/」に加え、ユーザー個人を特定した（任意のユーザーの持ち出しを考慮した）、例えば「/root/Video/HDD/alluser/father/（お父さん向け）」、「/root/Video/HDD/alluser/mother/（お母さん向け）」、等が用意されてもよい。
【００２９】
この場合、図２により説明した手順に従う携帯端末装置からのアクセス時に、例えばアクセスした携帯端末装置の個人名（ユーザー名）を蓄積装置が認識し、アクセスしたユーザー名に対応する下位フォルダを提示することもできる。すなわち、「/root/Video/HDD/」が共通であるから下位となるユーザー名を判別することにより、ユーザーを特定して提示すればよい。
【００３０】
図４に、図１Ａ及び図１Ｂに示した蓄積装置として利用可能なレコーダ装置（電子機器）の一例を示す。
【００３１】
図４に示すレコーダ装置[１]１００あるいはレコーダ装置[２]３００は、ＭＰＵ（Main Processing Unit，主制御ブロック）１１、メインメモリ（ＳＤＲＡＭ）２０、ディスクドライブユニット３０、ＨＤＤ（Hard Disk Drive，ハードディスクドライブ）ユニット４０、エンコーダユニット５０、デコーダユニット６０、データ入力部７０及びデータ出力部８０を含む。
【００３２】
ＭＰＵ（またはＣＰＵ（Central Processing Unit））１１は、記録・再生処理部（管理情報処理部）１２、エンコードパラメータ検出・処理部１３、ＧＵＩ（Graphical User Interface）表示制御部１４、［コンテンツ／フォルダリスト］処理部１５、高速コピー処理部１６及びレート変換コピー制御部１７、等を含む。なお、ＭＰＵ１１は、記録ならびに再生単位のデータを取り扱うもので、詳述しないが、バッファ回路、変調・復調回路、エラー訂正部などを含む。また、リモコン端末（リモートコントローラー）による入力指示（ユーザー操作による制御入力）を受け付けるインターフェースが、例えばＧＵＩ表示制御部１４の前段に設けられ、入力指示に対するＧＵＩ表示及び入力指示のためのＧＵＩを表示する。
【００３３】
ＭＰＵ１１はまた、ＥＥＰＲＯＭ１８及びワークメモリ（Work RAM）１９と接続する。
【００３４】
また、ＭＰＵ１１は、ＳＤＲＡＭ（メインメモリ）２０を介して、ディスクドライブユニット３０及びＨＤＤ４０と接続する。なお、ＭＰＵ１１には、タイマユニット（Timer，電源管理装置）９０を介して、商用電源が供給される。
【００３５】
また、ＭＰＵ１１は、ＬＡＮインターフェース１０（ネットワーク装置）によりルータ１と接続する。これにより、上述の携帯端末装置３との間の［コンテンツ／フォルダリスト］の送信要求への応答すなわちデータの受け渡し及びコンテンツの出力（配信／移動／複製）が可能である。
【００３６】
［コンテンツ／フォルダリスト］処理部１５は、図６〜図２４により後段に説明するが、ルータ（サーバ）１からの要求に従い、携帯端末装置３から要求のある配信（転送／移動／複製）に際して、「配信／持ち出し能力（コンテンツを保持している機器（この場合、レコーダ装置[１]１００）からの移動／複製／転送）が許可されているコンテンツ（［持ち出し要求に対応する出力が可能］なコンテンツ）」を抽出してリスト化し、例えば図３に示した「/root/Video/HDD/Mobile/」や、転送用である「/root/Live/」というフォルダを作成し、保持する。
【００３７】
ＳＤＲＡＭ２０は、少なくとも１つの（所定の記憶容量の）メモリ素子を含み、ＭＰＵ１１による制御の下で、以下に説明するデータ（コンテンツ）の転送、コンテンツの任意の映像（静止画または動画）に対応するサムネイル画像（縮小画像）の生成等、を行う。
【００３８】
ディスクドライブユニット３０は、取り出し（移動）可能な記録媒体、例えば光ディスクに情報を書き込みあるいは消去し、もしくは光ディスクから情報を読み出すもので、例えば直径が約１２ｃｍ、厚さが１．２ｍｍであって一層記録時に、概ね２５Ｇｂ（ギガバイト）の情報を記録可能なブルーレイディスク（ＢＤ）規格のディスク（以下、ＢＤディスクと称する）に対して、上述の書き込み（消去）及び読み出しを行うブルーレイディスクドライブユニット（ＢＤドライブ）３１及び、例えば直径が約１２ｃｍ、厚さが１．２ｍｍであって一層記録時に、概ね４．７Ｇｂ（ギガバイト）の情報を記録可能なＤＶＤ規格のＤＶＤ−ＲＡＭ／ＲＷ／Ｒ等の任意のディスクに、上述の書き込み（消去）及び読み出しを行うＤＶＤディスクドライブユニット（ＤＶＤ−ＲＡＭ／−ＲＷ／−Ｒドライブ）３２、を含む。なお、ドライブ３１とドライブ３２は、一体化されたものであっても良い。また、ＤＶＤドライブ３２は、ＣＤ（Compact Disc）規格に準拠する光ディスクについても、記録（消去）及び再生が可能である。
【００３９】
また、今日、記録媒体として、半導体メモリ（ＳＤ（Secure Digital）カード）等のＳＳＤ（Solid State Drive）を用いることも可能であり、リーダ／ライタ（Reader／Writer）３３がＳＤＲＡＭ２０に接続されている。
【００４０】
なお、ＨＤＤ４０、光ディスク、半導体メモリ（ＳＤカード）等は、それぞれ、デジタル信号化された様々なファイルを、上述の情報として保持する。ファイルとしては、オーディオ（Audio）／ビデオ（Video）コンテンツ、あるいは文字などのテキストデータや写真データ等の種々のデータ、例えばビデオ（Video、動画）については、例えばＭＰＥＧ（Moving Picture Experts Group）−１、−２、−４（Ｈ．２６４／ＡＶＣ）、オーディオ（Audio、音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等が、広く知られている。
【００４１】
ＨＤＤユニット４０は、例えば１Ｔｂ（テラバイト）程度、またはそれ以上の記録容量を有し、入力されるデジタルデータ（コンテンツ）を保持する。
【００４２】
エンコーダユニット（Video/Audio Encoder）５０は、データ入力部７０に入力されるアナログデータを所定の形式にエンコードする。なお、エンコーダユニット５０は、例えばＩＥＥＥ（Institute of Electrical and Electronics Engineers）１３９４に準拠したデジタルデータを、入力インタフェース５１を経由して、直接受け取ることができる。
【００４３】
デコーダユニット（Video/Audio Decoder）６０は、ＳＤＲＡＭ２０が保持するデジタルデータを、データ出力部８０と接続する映像表示装置（ディスプレイ）及び音声（オーディオ）再生装置が再生可能なアナログデータにデコードする。なお、インタフェース６１を経由して、デジタル信号をそのまま、外部に出力することも可能である。この場合、デジタル信号は、例えばＩＥＥＥ１３９４、あるいはＨＤＭＩ（High-definition Digital Media Interface）に準拠することが好ましい。
【００４４】
データ入力部７０は、アナログの映像信号及び音声（オーディオ）信号を受けつける入力端（Analog in）７１、アナログで入力される映像信号をデジタル信号に変換する映像Ａ／Ｄコンバータ（Video ADC）７２、アナログで入力される映像信号をデジタル信号に変換する音声Ａ／Ｄコンバータ（Audio ADC）７３、及び任意のチャンネルの放送を受信するチューナ（ＴＶチューナ）７７、を少なくとも含む。なお、今日、チューナ７７は、デジタル放送のみが受信可能（デジタル放送にのみ対応）であるが、アナログ放送が存在する地域もしくは国における使用を考慮してアナログチューナが用意されている場合は、チューナの入力も、映像及び音声（オーディオ）への分離部の後段において、それぞれ、対応するＡ／Ｄコンバータに入力される。
【００４５】
データ出力部８０は、デコーダ６０が出力する映像信号をアナログの映像信号に変換する映像用Ｄ／Ａコンバータ（Video DAC）８１及びデコーダ６０が出力する音声（オーディオ）信号をアナログの音声信号に変換する音声用Ｄ／Ａコンバータ（Audio DAC）８２を、少なくとも含む。なお、接続するディスプレイ（映像表示装置）が、入力されるデジタルデータからそのまま映像として表示可能である場合、ディスプレイへの出力は、上述のデコーダユニット６０からのＩＥＥＥ１３９４あるいはＨＤＭＩを用いるデジタル信号を、そのまま用いることができる。
【００４６】
なお、リモートコントローラー）による操作入力（ユーザー指示）に対応し、外部に接続される映像表示装置（ディスプレイ）に、ＧＵＩ表示制御部１４により生成され、再生または表示中のコンテンツと一体的に、あるいは濃度が好適に設定されて、一定の透過率が与えられて（コンテンツの一部が）透過状態で、ＧＵＩ表示が表示される。従って、ユーザは、記録、再生、複製、移動、消去及び編集等においては、映像表示装置に表示されるＧＵＩに従い、リモコン端末を操作することにより、記録再生装置１の動作を制御できる。
【００４７】
上述した記録再生装置１においては、インターフェース５１または入力部７０を経由して入力される映像信号及び音声（オーディオ）信号は、すなわちコンテンツまたは番組は、エンコーダユニット５０を介して、所定の形式のデジタルデータとしてエンコードされ、ＳＤＲＡＭ２０に、一時的に保持される。すなわち、ＭＰＵ１１は、記録・再生処理部（管理情報処理部）１２、エンコードパラメータ検出・処理部１３、［コンテンツ／フォルダリスト］処理部１５、ワークメモリ１９、ＳＤＲＡＭ２０等を動作させ、記録すべきデータ（コンテンツ）を、ＨＤＤ４０あるいはディスクドライブユニット３０に供給し、ハードディスクあるいは光ディスクに記録する。
【００４８】
ＳＤＲＡＭ２０が保持するデジタルデータは、ＧＵＩ表示に従うユーザ入力に基づいて、ＭＰＵ１１の制御によりＨＤＤ４０に記録される（コンテンツの特性、及び複製の制限に支配されるが、ディスクドライブユニット３０が収容する光ディスクに直接記録できる場合もある）。
【００４９】
ユーザから、記録されているコンテンツ（番組）の再生が指示された場合、ＧＵＩ表示に従う（あるいはリモコン端末からの）ユーザの選択に従い、ＨＤＤ４０またはディスクドライブユニット３０が収容している光ディスクが保持するコンテンツのうちの選択されたコンテンツが読み出され、デコーダユニット６０によりデコードされる。デコードされたコンテンツすなわち映像出力及び音声（オーディオ）出力は、予め接続されている映像表示装置（ディスプレイ）及び音声再生装置（スピーカ）に出力される。なお、音声（オーディオ）出力は、例えばイヤホン（ヘッドホン）等による再生を考慮して、オーディオ出力端（Audio Out）８４に出力されてもよい。また、映像出力も、プロジェクタ装置等による表示のため、映像出力端（Video Out）８３に出力されてもよい。
【００５０】
一方、ＭＰＵ１１は、ハードディスク記録されたデータを光ディスクに、あるいは光ディスクに記録されたデータをハードディスクに、所定の複製（コピー／ムーブ）の制限の範囲内で記録あるいはコピー（複製）もしくは移動（ムーブ）できる。また、記録・再生処理部（管理情報処理部）１２は、光ディスクからＨＤＤ４０のハードディスクへ、あるいはＨＤＤ４０のハードディスクへ、もしくはルータ１を通じた携帯端末装置３へのコンテンツ複製時の複製可否（許可）判定を行う。
【００５１】
また、ＨＤＤ４０のハードディスクに記録されたコンテンツ（データ）は、通常、高速コピー処理部１６を介して［高速ダビング］または［高速移動（ムーブ）］可能な形式で一時的に保持され、レート変換を必要としない場合には、時間軸上で１：１である場合に比較して、２から３２倍程度の記録速度で、ダビングまたは移動（ムーブ）できる。なお、レート変換（記録密度を変更）してダビングまたはムーブする場合、レート変換コピー制御部１７によりレート変換される。
【００５２】
［コンテンツ／フォルダリスト］処理部１５は、図３に示した配信（持ち出し）用である「/root/Video/HDD/Mobile/」や転送用である「/root/Live/」等に対応するリストを保持する。このリストは、図６Ａ、図６Ｂ、図７〜図２４により後段に説明する処理が実行される毎に、逐次更新される。また、リストは、（ＧＵＩに従う）ユーザー操作に基づいて、ユーザー個人を特定した、例えばお父さん向けの「/root/Video/HDD/alluser/father/」のフォルダに収容されているコンテンツを、お母さん向けの「/root/Video/HDD/alluser/mother/」あるいは家族全員による利用が可能な「/root/Video/HDD/alluser/」等へ移動する、等の、任意の編集（再グループ分け）が可能である。
【００５３】
図５に、図１Ａ及び図１Ｂに示した蓄積装置として利用可能な（記録機能付）テレビ受信装置（電子機器）の一例を示す。
【００５４】
テレビ受信装置２００は、放送入力端子２１０、チューナ２１１、復調部２１２、信号処理部２１３、通信インターフェース２１４、音声処理部２２１、映像処理部２３１、ＯＳＤ処理部２３２、表示処理部２３３、制御部２５０、操作入力部２６１、リモコン受光部２６２、カードコネクタ２６４、ＵＳＢコネクタ２６６、ディスクドライブ２７０、及び電源制御部２０１を備える。また、テレビ受信装置２００は、さらにスピーカ２８０及びディスプレイ（表示部）２９０を備える。
【００５５】
放送入力端子２１０は、例えばアンテナＡＮＴにより受信するディジタル放送信号が入力される入力端子である。アンテナＡＮＴは、例えば、地上ディジタル放送信号、ＢＳ（Broadcasting Satellite）ディジタル放送信号、及び／または、１１０度ＣＳ（Communication Satellite）ディジタル放送信号を受信する。即ち、放送入力端子２１０には、放送事業者が放送信号として供給する番組などのコンテンツが入力される。
【００５６】
放送入力端子２１０は、受信したディジタル放送信号をチューナ２１１に供給する。チューナ２１１は、ディジタル放送信号用のチューナである。チューナ２１１は、アンテナＡＮＴから供給されるディジタル放送信号のチューニング（選局）を行う。チューナ２１１は、チューニングしたディジタル放送信号を復調部２１２に送信する。
【００５７】
復調部２１２は、受信するディジタル放送信号を復調し、復調したディジタル放送信号（コンテンツ）を信号処理部２１３に入力する。即ち、アンテナＡＮＴ、チューナ２１１、及び復調部２１２は、コンテンツを受信する受信手段として機能する。
【００５８】
信号処理部２１３は、ディジタル放送信号（動画のコンテンツデータ）に対して信号処理を施す信号処理手段として機能する。信号処理部２１３は、復調部２１２から供給されるディジタル放送信号に、信号処理を施す。即ち、信号処理部２１３は、ディジタル放送信号を映像信号、音声信号、及びその他のデータ信号に分離する。信号処理部２１３は、音声処理部２２１に音声信号を供給する。また、信号処理部２１３は、映像処理部２３１に映像信号を供給する。さらに、信号処理部２１３は、制御部２５０、及び／またはＯＳＤ処理部２３２にデータ信号を供給する。
【００５９】
信号処理部２１３は、通信インターフェース２１４から受信するディジタル信号に信号処理を施す。例えば、信号処理部２１３は、ディジタル信号をディジタル映像信号とディジタル音声信号とデータ信号とに分離する。信号処理部２１３は、音声処理部２２１にディジタル音声信号を供給する。また、信号処理部２１３は、映像処理部２３１にディジタル映像信号を供給する。さらに、信号処理部２１３は、制御部２５０、及び／またはＯＳＤ処理部２３２にデータ信号を供給する。
【００６０】
なお、信号処理部２１３は、通信インターフェース２１４に入力されるコンテンツと、放送入力端子２１０に入力されるコンテンツとのいずれかを選択し、処理を行う。即ち、信号処理部２１３は、ディジタル放送信号とディジタル信号のいずれかに対して信号の分離処理を行う。
【００６１】
音声処理部２２１は、信号処理部２１３から受信したディジタル音声信号を、スピーカ２８０により再生可能なフォーマットの信号（オーディオ信号）に変換する。音声処理部２２１は、オーディオ信号をスピーカ２８０に供給する。スピーカ２８０は、供給されるオーディオ信号に基づいて音（音声／音響／オーディオ）を再生する。
【００６２】
映像処理部２３１は、信号処理部２１３から受信した映像信号を、ディスプレイ２９０で再生可能なフォーマットの映像信号に変換する。即ち、映像処理部２９０は、信号処理部２１３から受信した映像信号を、ディスプレイ２９０で再生可能なフォーマットの映像信号にデコード（再生）する。また、映像処理部２３１は、ＯＳＤ処理部２３２から供給されるＯＳＤ信号を映像信号に重畳する。映像処理部２３１は、映像信号を表示処理部２３３に出力する。
【００６３】
ＯＳＤ処理部２３２は、信号処理部２１３から強雨されるデータ信号、及び／または制御部２５０から供給される制御信号に基づいて、ＧＵＩ（Graphical User Interface、グラフィカルユーザインタフェース）画面、字幕、時刻、または他の情報などを画面に重畳して表示するＯＳＤ信号を生成する。
【００６４】
表示処理部２３３は、例えば、制御部２５０からの制御に基づいて、受信した映像信号に対して色味、明るさ、シャープ、コントラスト、またはその他の画質調整処理を行う。表示処理部２３３は、画質調整を施した映像信号をディスプレイ２９０に供給する。ディスプレイ２９０は、供給される映像信号に基づいて映像を表示する。
【００６５】
ディスプレイ２９０は、例えば、マトリクス状に配列された複数の画素を備える液晶表示パネルと、この液晶パネルを照明するバックライトとを備える液晶表示装置などを備える。ディスプレイ２９０は、テレビ受信装置２００から供給される映像信号に基づいて映像を表示する。
【００６６】
なお、テレビ受信装置２００は、ディスプレイ２９０と独立に、映像出力端子（Video out）を有することができる。同様に、テレビ受信装置２００は、スピーカ２８０と独立に、音声出力端子（Audio out）を有することができる。
【００６７】
制御部２５０は、テレビ受信装置２００の各部の動作を制御する制御手段（主制御ブロック）として機能する。制御部２５０は、ＣＰＵ（主制御ユニット）２５１、ＲＯＭ（読み出し専用メモリ）２５２、ＲＡＭ（書き換え可能（ランダムアクセス）メモリ）２５３、及びＥＥＰＲＯＭ（不揮発性メモリ）２５４、クロック（ＣＬＫ）２５５、及びサブマイコン２５６などを備える。制御部２５０は、操作入力部２６１から供給される操作信号に基づいて種々の処理を行う。
【００６８】
ＣＰＵ２５１は、種々の演算処理を実行する演算素子、ファームウエアを保持し、実行するメモリ領域などを備える。ＣＰＵ２５１は、ＲＯＭ２５２、またはＥＥＰＲＯＭ２５４などに記憶されているプログラムを実行することにより種々の機能を実現する。なお、ＣＰＵ２５１とサブマイコン２５６は、クロック（ＣＬＫ）２５５が発生するクロックに従い、動作される。
【００６９】
ＲＯＭ２５２は、テレビ受信装置２００を制御する為のプログラム、及び各種の機能を実現するためのプログラムなどを記憶する。ＣＰＵ２５１は、操作入力部２６１から供給される操作信号に基づいて、ＲＯＭ２５２に記憶されているプログラムを起動する。これにより、制御部２５０は、各部の動作を制御する。
【００７０】
ＲＡＭ２５３は、ＣＰＵ２５１のワークメモリとして機能する。即ち、ＲＡＭ２５３は、ＣＰＵ２５１の演算結果、ＣＰＵ２５１により読み込まれたデータ、操作入力部２６１もしくはリモートコントローラ（以下、リモコンと称する）２６３により入力される入力情報などを記憶する。
【００７１】
ＥＥＰＲＯＭ２５４は、各種の設定情報、及びプログラムなどを記憶する。
【００７２】
サブマイコン２５６は、電源制御部２０１を通じて入力するＡＣライン（商用電源）からの電力を、例えばタイマーコントール（録画予約された番組の録画）や待機状態における、ＥＰＧ（電子番組表）の更新などにおいて、主電源のオン／オフなどを制御する。
【００７３】
コンテンツ／フォルダリスト処理部２５７は、図４においてレコーダ装置を例に説明したと同様に、図６Ａ、図６Ｂ、図７〜図２４により後段に説明するが、ルータ（サーバ）１からの要求に従い、携帯端末装置３から要求のある配信（転送／移動／複製）に際して、「配信／持ち出し能力（コンテンツを保持している機器(すなわちテレビ受信装置２００）からの移動／複製／転送）が許可されているコンテンツ（［持ち出し要求に対応する出力が可能］なコンテンツ）」を抽出してリスト化し、例えば図３に示した「/root/Video/HDD/Mobile/」や、転送用である「/root/Live/」というフォルダを作成し、保持する。
【００７４】
操作入力部２６１は、例えば、操作キー、キーボード、マウス、タッチパッドまたは操作入力に応じて操作信号を生成する事ができる他の入力装置などを備える入力手段である。例えば、操作入力部２６１は、操作入力に応じて操作信号を生成する。操作入力部２６１は、生成した操作信号を制御部２５０に供給する。
【００７５】
なお、タッチパッドは、静電センサ、サーモセンサ、または他の方式に基づいて位置情報を生成するデバイスを含む。また、テレビ受信装置２００がディスプレイ２９０を備える場合、操作入力部２６１は、ディスプレイ２９０と一体に形成されるタッチパネルなどを備える構成であってもよい。
【００７６】
リモコン受光部２６２は、例えば、リモコン２６３からの操作信号を受信するセンサなどを備える。リモコン受光部２６２は、受信した信号を制御部２５０に供給する。制御部２５０は、リモコン受光部２６２から供給された信号を受信し、受信した信号を増幅させてＡ／Ｄ変換を行うことにより、リモコン２６３から送信された元の操作信号を復号する。
【００７７】
リモコン２６３は、ユーザーの操作入力に基づいて操作信号を生成する。リモコン２６３は、生成した操作信号を赤外線通信によりリモコン受光部２６２に送信する。なお、リモコン受光部２６２及びリモコン２６３は、電波などの他の無線通信により操作信号の送受信を行う構成であってもよい。
【００７８】
カードコネクタ２６４は、例えば、動画コンテンツを記憶するメモリカード２６５と通信をおこなうインターフェースである。カードコネクタ２６４は、接続されるメモリカード２６５から動画や静止画、あるいはオーディオなどのコンテンツデータを読み出し、制御部２５０に供給する。
【００７９】
ＵＳＢ（Universal Serial Bus）コネクタ２６６は、ＵＳＢ機器２６７と通信を行うインターフェースである。ＵＳＢコネクタ２６６は、接続されるＵＳＢ機器２６７から供給される信号を制御部２５０に供給する。
【００８０】
例えば、ＵＳＢ機器２６７がキーボードなどの操作入力機器である場合、ＵＳＢコネクタ２６６は、操作信号をＵＳＢ機器２６７から受け取る。ＵＳＢコネクタ２６６は、受け取った操作信号を制御部２５０に供給する。この場合、制御部２５０は、ＵＳＢコネクタ２６６から供給される操作信号に基づいて種々の処理を実行する。
【００８１】
また、例えばＵＳＢ機器２６７が動画や静止画、あるいはオーディオなどのコンテンツデータを記憶する記憶装置である場合、ＵＳＢコネクタ２６６は、コンテンツをＵＳＢ機器２６７から取得することができる。ＵＳＢコネクタ２６６は、取得したコンテンツを制御部２５０に供給する。
【００８２】
ＬＡＮインターフェース２６８は、制御部２５０（ＣＰＵ２５１）の制御に従い、ルータ１との間の制御データの受け渡し、及びルータ１に対するコンテンツの転送（移動／複製）を制御する。すなわち、携帯端末装置３からのコンテンツの転送要求に従い、携帯端末装置３による「コンテンツ／フォルダリスト」処理部２６８が保持する「コンテンツ／フォルダリスト」の閲覧（参照）を可能とし、携帯端末装置３から要求されるコンテンツを転送する。
【００８３】
ディスクドライブ２７０は、例えば、コンパクトディスク（ＣＤ）、ディジタルバーサタイルディスク（ＤＶＤ）、ブルーレイディスク（Blu-ray Disk（登録商標）／ＢＤ）、または動画や静止画、あるいはオーディオなどのコンテンツデータを記録可能な他の光ディスクＭを装着可能なドライブを有する。ディスクドライブ２７０は、装着される光ディスクＭからコンテンツを読み出し、読み出したコンテンツを制御部２５０に供給する。
【００８４】
電源制御部２０１は、テレビ受信装置２００の各部への電力の供給を制御する。電源制御部２０１は、例えば商用電源から電力を受け取る。商用電源は、交流の電力を電源制御部２０１に供給する。電源制御部２０１は、受け取った交流の電力を直流に変換し各部へ供給する。なお、電源制御部２０１は、例えば、ＡＣアダプタなどを介して変換された直流を直接受け付けるものであってもよい。
【００８５】
また、テレビ受信装置２００は、さらに他のインターフェースを備えていても良い。インターフェースは、例えば、Ｓｅｒｉａｌ−ＡＴＡ（Serial-Advanced Technology Attachment）、ＬＡＮ（Local Area Network）ポートなどである。テレビ受信装置２００は、インターフェースにより接続される機器に記録されているコンテンツを取得し、再生することができる。また、テレビ受信装置２００は、再生したオーディオ信号及び映像信号を、インターフェースにより接続される機器に出力することが出来る。
【００８６】
また、テレビ受信装置２００がインターフェースを介してネットワークに接続される場合、テレビ受信装置２００は、ネットワーク上の動画や静止画、あるいはオーディオなどコンテンツデータを取得し、再生することができる。
【００８７】
またさらに、テレビ受信装置２００は、ハードディスクドライブ（ＨＤＤ、大容量記憶装置）や、ＳＳＤ（Solid State Drive、すなわち半導体メモリ装置に対する記録と読み出しが可能なリーダライタ）などの記憶装置を備えていても良い。この記憶装置が動画のコンテンツデータを記憶する場合、テレビ受信装置２００は、この記憶装置に記憶されているコンテンツを読み出し、再生することが出来る。また、テレビ受信装置２００は、この記憶装置に例えば放送信号またはネットワークなどにより供給されるコンテンツを記憶することができる。
【００８８】
次に、図２〜図４により説明した［コンテンツ／フォルダリスト］の作成、及び同リストにリストアップされることにより、コンテンツ配信／持ち出しアプリケーションを起動した携帯端末装置３が取得可能な形式すなわち蓄積機器が保持するコンテンツにおいて、「配信／持ち出し能力（コンテンツを保持している機器からの移動／複製／転送）が許可されているコンテンツ（［持ち出し要求に対応する出力が可能］なコンテンツ）」の記録方法の一例を説明する。なお、蓄積機器におけるコンテンツの記録は、「録画予約時（記録時）」及び「録画（記録）済のコンテンツを持ち出し用にレート変換する場合」の２つに大別される。
【００８９】
はじめに、「録画予約時（記録時）」の設定について説明する。
【００９０】
図６Ａに示す［番組表］表示６０１あるいは図６Ｂに示す［録画予約一覧］表示６０２において、［新規予約］表示にカーソルが移動され、リモコン端末装置の決定ボタンから［新規予約］を選択入力すると、図７に示すように、［録画予約画面］表示７０１が表示される。なお、図７が示す［録画予約画面］表示７０１は、「持ち出し用録画」を設定可能な［入力画面（設定変更画面）］表示７１０を含む。
【００９１】
次に、図７が示す［入力画面（設定変更画面）］表示７１０において、［設定変更］表示７１１にカーソルが移動され、リモコン端末装置の決定ボタンがオンされることで、図８に示すように、「持ち出し用録画」を設定可能な［予約オプション設定画面］表示８２１がポップアップ表示される。なお、［予約オプション設定画面］表示８１１については、図１３により、詳細に説明する。また、［持出用品質］表示７２１にカーソルが移動され、リモコン端末装置の決定ボタンがオンされることで、図９に示すように、［持出用録画品質選択画面］９０１が表示される。
【００９２】
なお、図９の［持出用録画品質選択画面］９０１においては、通常（選択開始時）は、互換性の高い品質が自動的に選択されることとする。すなわち、ユーザーに入力（指示）による変更がない場合、多くの携帯端末装置が再生可能な解像度及びレート（モード）、例えば［設定１］表示９１１が選択された状態が表示される。従って、ユーザーによる変更指示（入力）がない場合、例えばリモコン端末装置の決定ボタンがオンされることで、図１０または図１１に示すように、図８における［予約オプション設定画面］表示８１１の［持出用録画］表示８２１が「する」に変更された［録画予約画面］表示１００１（図１０の例）あるいは［持出用録画＋通常録画］表示８２２が「する」に変更された１１０１（図１１の例）が表示される。
【００９３】
次に、図１０または図１１が表示する、図７の［持出用録画］表示７２１が「する」に変更された［録画予約画面］表示１００１または１１０１において、リモコン端末装置の［登録］ボタンがオンされることで、図１２に示す通り、［持出用録画］が設定された［録画予約一覧］表示１２０１が表示される。
【００９４】
なお、図９が示す［持出用録画品質選択］画面９０１において、例えば［設定３］表示９１３にカーソルが移動され、リモコン端末装置の決定ボタンがオンされることで、『ＨＤ』画質で、ビットレート（モード）が８Ｍｂｐｓの［持出用録画］が設定される。
【００９５】
図１３は、図８に示した［予約オプション設定画面］を説明するもので、［予約オプション設定画面］において、カーソルが「持出用録画」のみ、または「持出用録画」と「通常録画」の両方を行ういずれかの設定を選択可能なチェックボックス１３１１または１３１２のいずれかに移動され、リモコン端末装置の決定ボタンがオンされることで、「持出用録画」のみ、または「持出用録画」と「通常録画」を同時に行う場合を、ユーザー入力により選択可能である。なお、図１３における持出用録画」のみ、または「持出用録画」と「通常録画」の両方を行ういずれかの選択は、［持出用録画］表示１３１０のチェックボックスにより「持出用録画」が選択された場合に、可能となる。
【００９６】
なお、図１４に示すように、「持出用録画」が許可されていないコンテンツへの「持出用録画」が設定されようとした場合、所定のアラート（警告）メッセージが表示されるとともに、図１３に示した［持出用録画］表示１３１０のチェックボックスが、例えばグレーアウト（グレーダウン）表示され、「持出用録画」が禁止される。
【００９７】
「持出用録画」が禁止されるコンテンツとしては、例えば外部入力を介して入力されるコンテンツであり、例えば『外部入力のコンテンツは、持出用録画に設定できません（デジタル番組のみ設定できます）』、という内容のメッセージが表示される。
【００９８】
また、「持出用録画」が禁止されるコンテンツとしては、例えば既に録画予約が登録された番組（コンテンツ）であり、例えば『持出用録画は、新規予約のみ設定できます』、という内容のメッセージが表示される。
【００９９】
また、「持出用録画」が禁止されるコンテンツとしては、例えばレコーダ装置及びテレビ受信装置（蓄積機器）が自動的に録画したコンテンツ（番組）であり、例えば『持出用録画は、自動録画（おまかせ自動録画）の番組は、持出用録画に設定できません』、という内容のメッセージが表示される。
【０１００】
なお、上述したメッセージ（アラート）の表示は、例えばリモコン端末装置により、図７に示した［入力画面（設定変更画面）］表示７１０において、［設定変更］表示７１１にカーソルが移動され、リモコン端末装置の決定ボタンがオンされた時点で、表示される（設定変更の入力を受けつけない）。
【０１０１】
ところで、図７〜図１３に示した「持出用録画」の予約設定が可能である場合すなわち図１４により説明した「持出用録画」が禁止される場合を除き、「持出用録画」の予約設定が完了すると、図１５に示すように、［録画予約］画面表示１５０１において、蓄積機器側において設定されている録画品質表示１５１０の近傍、例えば横並びに「持出用録画」の［録画品質］表示１５１１に、「画質」と「ビットレート」が表示される。
【０１０２】
なお、画質は、例えば『ＨＤ』、『ＳＤ』等の通称名で表示される。また、ビットレートは、『△．○』というような数字による直接的な表示であっても良いし、モード（通称名）の表示であってもよい。
【０１０３】
さらに、図１５における［録画予約］画面表示１５０１においては、「持出用録画」の記録が可能なＨＤＤ（ハードディスク）内の記録残り容量が、［現在の品質で録画できる時間（予約実行前）］表示１５２１に、「持出用録画」の品質で録画可能な時間が表示される。
【０１０４】
なお、上述した「持出用録画」は、録画予約（通常録画）に従う、録画開始時刻及び録画終了時刻の変更があった場合、すなわちスポーツ中継などにおいて、その番組の時間が延長された場合等においても追従できることは言うまでもない。
【０１０５】
次に、「録画（記録）済のコンテンツを持ち出し用にレート変換する（ダビング工程を含む）場合」について説明する。
【０１０６】
既に録画されているコンテンツを「持出可能」とするためには、携帯端末装置による再生を予想した「ワンセグ録画」などの特別に録画されたコンテンツを除いた殆どのコンテンツについて、携帯端末装置の再生能力に合わせた画質及びビットレートの変更が必要となる。
【０１０７】
図１６に示すように、例えば編集モード（ダビング）のための［編集ナビ画面］１６０１を表示した状態で、ダビング先の選択にカーソルが移動され、リモコン端末装置の決定ボタンがオンされることで、「ダビング先の切り換え」が入力可能な［ダビング先切換画面］表示１６１０が表示される。［ダビング先切換画面］表示１６１０は、「持ち出し用変換」を設定可能な［ＨＤＤ（持出用変換）］表示１６１１と「持ち出し可能機器」を設定可能な［ＬＡＮ（持出機器）］表示１６１２を含む。
【０１０８】
ここで、［ＨＤＤ（持出用変換）］表示１６１１にカーソルが移動され、リモコン端末装置の決定ボタンがオンされることで、図１７に示すように、「ダビングモードの選択」が可能な［ダビングモード選択画面］表示１７１０が表示される。［ダビングモード選択画面］表示１７１０は、「持出用変換」ためのレート変換及び解像度変換の少なくとも一方を行い（設定の結果、変換が発生しないことがある）、携帯端末装置から参照可能にコンテンツを保持する「持出用タイトル（コンテンツ）フォルダ」へのアクセスを可能とする［持出用タイトルフォルダ］表示１７１１を含む。
【０１０９】
次に、［持出用タイトルフォルダ］表示１７１１にカーソルが移動され、リモコン端末装置の決定ボタンがオンされることで、図１８に示すように、「ダビング」対象コンテンツの選択が可能な［ダビング画面］表示１８０１が表示される。［ダビング画面］表示１８０１は、「持出用変換」ためのレート変換及び解像度変換を行う「品質変更」を起動する［品質変更］ボタン表示１８１０を含む。
【０１１０】
以下、図１８の［ダビング画面］表示１８０１が表示するコンテンツから「持出用変換」ための「品質変更」を実施するコンテンツにカーソルが移動され、リモコン端末装置の決定ボタンがオンされることで、対象のコンテンツが特定される。
【０１１１】
続いて、［品質変更］ボタン表示１８１０にカーソルが移動され、リモコン端末装置の決定ボタンがオンされることで、図１９に示すように、「持ち出し用録画品質を設定」可能な［持出用録画品質選択］画面１９１０が、ポップアップ表示される（図１８で示した［ダビング画面］表示１８０１に重ねて［持出用録画品質選択］画面１９１０が、表示される）。
【０１１２】
なお、図１９の［持出用録画品質選択画面］表示１９１０においては、通常（選択開始時）は、互換性の高い品質が自動的に選択されることとする。すなわち、ユーザーに入力（指示）による変更がない場合、多くの携帯端末装置が再生可能な解像度及びレート（モード）、例えば［設定１］表示１９２１が選択された状態が表示される。なお、ユーザー入力により、［持出用録画品質選択画面］表示１９１０中から異なる［設定ｎ（ｎは正の整数）］表示１９２２〜１９２６のいずれかが選択された場合、レート（モード）及び解像度は、［設定ｎ］が規定するレート及び解像度に設定される。
【０１１３】
以下、リモコン端末装置から、決定（開始）が指示されることで、図１８に示した［ダビング画面］表示１８０１に類似した［ダビング中画面］表示２００１が表示される。図１８の［ダビング画面］表示１８０１と図２０の［ダビング中画面］表示２００１とは、［品質変更］ボタン表示１８１０に隣接して、あるいは所定の位置に表示される［変換］表示２０２０、［レート］表示２０２１及び［解像度］表示２０２２が、例えば『持出』、『△．○』及び『ＳＤ』により識別できる。
【０１１４】
なお、図１８〜図２０により説明した「持出用変換」の［ダビング］が終了すると、図２１に示す［見るナビ画面］表示２１０１における［持出用タイトルフォルダ］表示２１１０の［タイトル数］表示２１２０の数が変更され、［時刻］表示２１２１が表示する時刻が、例えばダビング終了時の時刻に更新される。
【０１１５】
次に、図１６〜図２０により説明した「持出用変換」により［ダビング］したコンテンツを携帯端末装置に送信する方法について説明する。
【０１１６】
例えば、図１６に示した［編集ナビ画面］１６０１において、「持ち出し可能機器」を設定可能な［ＬＡＮ（持出機器）］表示１６１２にカーソルが移動され、リモコン端末装置の決定ボタンがオンされることで、図２２に示すように、［ダビング先選択］表示２２１０が、ポップアップ表示される。［ダビング先選択］表示２２１０は、例えば携帯端末装置が携帯電話機器である場合に、コンテンツを転送可能な［フォン］表示２２１１及び、例えば携帯端末装置がタブレットと称される表示装置である場合に、コンテンツを転送可能な［タブレット］表示２２１２を、含む。すなわち、「持ち出し可能機器」を設定可能な［ＬＡＮ（持出機器）］表示１６１２を選択することにより、例えば家庭内ＬＡＮ（ｄｌｎａ接続）上に位置する機器は表示されず、［持ち出し用変換］されたコンテンツの転送が可能な携帯端末装置のみが表示される。
【０１１７】
図２２が示す［ダビング先選択］表示２２１０において、［フォン］表示２２１１にカーソルが移動され、リモコン端末装置の決定ボタンがオンされることで、図２３に示すように、［ダビングモード選択］表示２３１０が、ポップアップ表示される。なお、［ダビングモード選択画面］表示２３１０において、［持出用タイトルフォルダ］表示２３１１にカーソルが移動され、リモコン端末装置の決定ボタンがオンされることで、対象のコンテンツの転送先（携帯端末装置）名が［ダビング先表示領域］２３２１に表示される。なお、ダビング先表示領域２３２１への携帯端末装置名の表示に代えて、例えば携帯電話装置あるいはタブレット装置を意図する［icon］状の表示が表示されてもよい。
【０１１８】
なお、［持ち出し用変換］されたコンテンツは、高速コピーのみ許可されることにより、画面の所定の位置（図では左下）に表示される［モード］表示２３３１は、『高速コピー管理』表示となる。また、［持ち出し用変換］されたコンテンツの転送以外の通常のダビングにおいて表示される『残量表示バー』表示及び『ＢＤ／ＤＶＤ互換モード』表示は、非表示とする。
【０１１９】
図２４は、図２３に示した［持出用タイトルフォルダ］表示２３１１にカーソルが移動され、リモコン端末装置の決定ボタンがオンされることで、対象のコンテンツの転送が開始される際に、転送先（携帯端末装置）の記録容量が不足する場合に表示される「アラート」の表示と、転送の実行方法の選択が可能な［アラート］表示２４１０の表示例である。
【０１２０】
すなわち、［持ち出し用変換］されたコンテンツが、転送先の記録容量が不足していることに起因して転送できない、あるいはさらにレート／解像度を変更することで転送可能となる場合に、図２４に示すように表示される［アラート］表示２４１０中の、    
［Ａ］このままパーツ登録する（容量が不足するが、そのまま転送する）    
［Ｂ］録画品質設定を開く（レート／解像度を変更する）    
［Ｃ］パーツ登録しない（転送しない）    
が表示される。
【０１２１】
以下、ユーザー操作により、［Ａ］／［Ｂ］／［Ｃ］のいずれかにカーソルが移動され、リモコン端末装置の決定ボタンがオンされることで、選択された動作が実行される。
【０１２２】
なお、［Ｂ］録画品質設定を開く（レート／解像度を変更する）が選択された場合、図１９に示した［持出用録画品質選択］画面１９１０と同様の［持出用録画品質選択］画面が表示され、ユーザーによるレート／解像度の変更が入力可能となる。
【０１２３】
このようにして用意された［持ち出し用変換］されたコンテンツが、図４に示した［コンテンツ／フォルダリスト］処理部１５（レコーダ装置の場合）に保持され、図２及び図３で説明した携帯端末装置において、例えば「root/Video/HDD/Mobile/」フォルダとして閲覧可能となる。すなわち、携帯端末装置側から蓄積装置を参照した場合、配信／持ち出し可能なコンテンツを保持する機器の表示及び（携帯端末装置を保持した）ユーザーによる所望のコンテンツを保持した機器及びそのコンテンツの取得のためのアクセスが容易となる。
【０１２４】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【０１２５】
１…ルータ（ネットワーク管理装置）、２…無線ＬＡＮユニット（ネットワーク装置）、３…携帯端末装置（携帯電話装置／表示装置）、１０…ＬＡＮインターフェース（ネットワーク装置）、１５…［コンテンツ／フォルダリスト］処理部、１００…記録再生装置（電子機器／蓄積装置）、２００…テレビ受信装置（電子機器／蓄積装置）、２５７…［コンテンツ／フォルダリスト］処理部、２６８…ＬＡＮインターフェース（ネットワーク装置）、３００…記録再生装置（電子機器／蓄積装置）、４００…蓄積装置（電子機器）。
【図１Ａ】
2013115492.tif 000003
【図１Ｂ】
2013115492.tif 000004
【図２】
2013115492.tif 000005
【図３】
2013115492.tif 000006
【図４】
2013115492.tif 000007
【図５】
2013115492.tif 000008
【図６Ａ】
2013115492.tif 000009
【図６Ｂ】
2013115492.tif 000010
【図７】
2013115492.tif 000011
【図８】
2013115492.tif 000012
【図９】
2013115492.tif 000013
【図１０】
2013115492.tif 000014
【図１１】
2013115492.tif 000015
【図１２】
2013115492.tif 000016
【図１３】
2013115492.tif 000017
【図１４】
2013115492.tif 000018
【図１５】
2013115492.tif 000019
【図１６】
2013115492.tif 000020
【図１７】
2013115492.tif 000021
【図１８】
2013115492.tif 000022
【図１９】
2013115492.tif 000023
【図２０】
2013115492.tif 000024
【図２１】
2013115492.tif 000025
【図２２】
2013115492.tif 000026
【図２３】
2013115492.tif 000027
【図２４】
2013115492.tif 000028